(57)【特許請求の範囲】
【請求項１】
複数の絶縁体層が積層されて構成されている素体と、
前記素体に設けられている線状の信号線路と、
前記絶縁体層を介して前記信号線路と対向している第１のグランド導体と、
調整導体と、
を備えており、
前記素体は、前記信号線路と外部回路とが一方の主面において電気的に接続される接続部を有しており、
前記第１のグランド導体には、前記接続部において、積層方向から平面視したときに、前記信号線路と重なる領域の少なくとも一部に導体が設けられていない非形成部が設けられており、
前記調整導体は、前記素体の他方の主面に設けられ、積層方向から平面視したときに、前記非形成部の少なくとも一部と重なっていること、
を特徴とする高周波信号伝送線路。
【請求項２】
前記調整導体は、前記素体を積層方向から平面視したときに、前記信号線路と一部が重なっていること、
を特徴とする請求項１に記載の高周波信号伝送線路。
【請求項３】
前記調整導体は、金属板、又は、導体層が形成された絶縁性基板であること、
を特徴とする請求項１又は請求項２のいずれかに記載の高周波信号伝送線路。
【請求項４】
前記調整導体は、粘着剤又はレジスト材によって前記素体に貼り付けられていること、
を特徴とする請求項１ないし請求項３のいずれかに記載の高周波信号伝送線路。
【請求項５】
前記調整導体は、前記信号線路及び前記第１のグランド導体に電気的に接続されていないこと、
を特徴とする請求項１ないし請求項４のいずれかに記載の高周波信号伝送線路。
【請求項６】
前記信号線路よりも前記素体の一方の主面側に設けられ、かつ、前記絶縁体層を介して前記信号線路と対向している第２のグランド導体を、
更に備えており、
前記第１のグランド導体は、前記信号線路よりも前記素体の他方の主面側に設けられており、
前記第１のグランド導体又は前記第２のグランド導体の少なくとも一方には、積層方向から平面視したときに、前記信号線路に沿って並んでいる複数の開口が設けられていること、
を特徴とする請求項１ないし請求項５のいずれかに記載の高周波信号伝送線路。
【請求項７】
前記開口と重なっている第１の領域における前記信号線路の特性インピーダンスは、該開口と重なっていない第２の領域における該信号線路の特性インピーダンスよりも高く、
前記第１の領域における前記信号線路の特性インピーダンス及び前記第２の領域における該信号線路の特性インピーダンスは、該信号線路の全体の特性インピーダンスが所定の特性インピーダンスとなるように設定されていること、
を特徴とする請求項６に記載の高周波信号伝送線路。
【請求項８】
前記第１のグランド導体は、前記信号線路より前記素体の一方の主面側に設けられていること、
を特徴とする請求項１ないし請求項５のいずれかに記載の高周波信号伝送線路。
【請求項９】
前記素体の前記接続部の一方の主面に実装されているコネクタであって、前記信号線路と電気的に接続されているコネクタを、
更に備えており、
前記信号線路は、前記コネクタを介して前記外部回路と電気的に接続されること、
を特徴とする請求項１ないし請求項８のいずれかに記載の高周波信号伝送線路。
【請求項１０】
前記コネクタの特性インピーダンスが所定の特性インピーダンスとなるように、前記調整導体が設計されていること、
を特徴とする請求項９に記載の高周波信号伝送線路。
【請求項１１】
前記素体の前記接続部の一方の主面に設けられている外部電極であって、前記信号線路と電気的に接続されている外部電極を、
更に備えており、
前記信号線路は、前記外部電極を介して前記外部回路と電気的に接続されること、
を特徴とする請求項１ないし請求項８のいずれかに記載の高周波信号伝送線路。
【請求項１２】
前記調整導体と前記信号線路との間に容量が形成されていると共に、該調整導体と前記第１のグランド導体との間に容量が形成されていること、
を特徴とする請求項１ないし請求項１１のいずれかに記載の高周波信号伝送線路。
【請求項１３】
高周波信号伝送線路と、
前記高周波信号伝送線路を収容している筐体と、
を備えており、
前記高周波信号伝送線路は、
複数の絶縁体層が積層されて構成されている素体と、
前記素体に設けられている線状の信号線路と、  前記絶縁体層を介して前記信号線路と対向している第１のグランド導体と、
調整導体と、
を備えており、
前記素体は、一方の主面において前記信号線路と外部回路とが電気的に接続される接続部を有しており、
前記第１のグランド導体には、前記接続部において、積層方向から平面視したときに、前記信号線路と重なる領域の少なくとも一部に導体が設けられていない非形成部が設けられており、
前記調整導体は、前記素体の他方の主面に設けられ、積層方向から平面視したときに、前記非形成部の少なくとも一部と重なっていること、
を特徴とする電子機器。
【発明の詳細な説明】
【技術分野】
【０００１】
本発明は、高周波信号伝送線路及び電子機器に関し、より特定的には、絶縁体層が積層されて構成された素体に信号線が設けられてなる高周波信号伝送線路及び電子機器に関する。
【背景技術】
【０００２】
従来の高周波信号伝送線路としては、例えば、特許文献１に記載のマイクロストリップフレキシブル基板接続ラインが知られている。該マイクロストリップフレキシブル基板接続ラインでは、薄い可撓性の誘電体基板を挟んでマイクロストリップラインが形成されている。このようなマイクロストリップフレキシブル基板接続ラインは、同軸ケーブルに比べて薄い。そのため、無線通信端末内の狭いスペースにマイクロストリップフレキシブル基板接続ラインを配置することが容易である。【０００３】
ところで、特許文献１に記載のマイクロストリップフレキシブル基板接続ラインにより、回路基板同士を接続する際には、例えば、特許文献２に記載の同軸コネクタ用レセプタクルを用いることが考えられる。具体的には、マイクロストリップフレキシブル基板接続ラインの一端に同軸コネクタ用レセプタクルを実装する。そして、回路基板に設けられている同軸コネクタ用プラグに同軸コネクタ用レセプタクルを装着することにより、マイクロストリップフレキシブル基板接続ラインを回路基板に接続する。これにより、マイクロストリップフレキシブル基板接続ラインを回路基板に容易に接続することが可能となる。【０００４】
しかしながら、マイクロストリップフレキシブル基板接続ラインに同軸コネクタ用レセプタクルが適用された場合には、信号線の特性インピーダンスが所定の特性インピーダンス（例えば、５０Ω）からずれてしまうおそれがある。より詳細には、同軸コネクタ用レセプタクルは、複数のパーツにより構成されている。そのため、同軸コネクタ用レセプタクルには浮遊容量または寄生インダクタンスが発生しやすく、同軸コネクタ用レセプタクルの特性インピーダンスが所定の特性インピーダンスからずれやすい。更に、マイクロストリップフレキシブル基板接続ラインには、種々の構造を有する同軸コネクタ用レセプタクルが実装される可能性がある。そのため、同軸コネクタ用レセプタクルの種類毎に特性インピーダンスが異なってしまうおそれがある。以上のように、同軸コネクタ用レセプタクルの特性インピーダンスが所定の特性インピーダンスからずれると、同軸コネクタ用レセプタクルにおいて高周波信号の反射が発生する。【０００５】
なお、同軸コネクタ用レセプタクルが用いられない場合であっても、以下の理由によって、信号線の特性インピーダンスが所定の特性インピーダンスからずれてしまうおそれがある。同軸コネクタ用レセプタクルが用いられない場合には、マイクロストリップフレキシブル基板接続ラインの端部の表面には、信号線に接続された外部電極が設けられる。そして、マイクロストリップフレキシブル基板接続ラインが回路基板に接続される際には、外部電極が回路基板のランド電極に対してはんだ等により接続される。この場合、外部電極付近においては信号線の形成領域と比較して導体形状などが異なり、外部電極部の特性インピーダンスが信号線の形成領域と異なる場合がある。その結果、信号線の特性インピーダンスが所定の特性インピーダンスからずれてしまうおそれがある。
【先行技術文献】
【特許文献】
【０００６】
【特許文献１】特開平９−１３９６１０号公報
【特許文献２】特許第３１６１２８１号公報
【発明の概要】
【発明が解決しようとする課題】
【０００７】
そこで、本発明の目的は、コネクタにおいて特性インピーダンスが所定の特性インピーダンスからずれることを抑制できる高周波信号伝送線路及び電子機器を提供することである。
【課題を解決するための手段】
【０００８】
本発明の一形態に係る高周波信号伝送線路は、複数の絶縁体層が積層されて構成されている素体と、前記素体に設けられている線状の信号線路と、  前記絶縁体層を介して前記信号線路と対向している第１のグランド導体と、調整導体と、を備えており、前記素体は、一方の主面において前記信号線路と外部回路とが電気的に接続される接続部を有しており、前記第１のグランド導体には、前記接続部において、積層方向から平面視したときに、前記信号線路と重なる領域の少なくとも一部に導体が設けられていない非形成部が設けられており、前記調整導体は、前記素体の他方の主面に設けられ、積層方向から平面視したときに、前記非形成部の少なくとも一部と重なっていること、を特徴とする。【０００９】
本発明の一形態に係る電子機器は、高周波信号伝送線路と、前記高周波信号伝送線路を収容している筐体と、を備えており、前記高周波信号伝送線路は、複数の絶縁体層が積層されて構成されている素体と、前記素体に設けられている線状の信号線路と、  前記絶縁体層を介して前記信号線路と対向している第１のグランド導体と、調整導体と、を備えており、前記素体は、一方の主面において前記信号線路と外部回路とが電気的に接続される接続部を有しており、前記第１のグランド導体には、前記接続部において、積層方向から平面視したときに、前記信号線路と重なる領域の少なくとも一部に導体が設けられていない非形成部が設けられており、前記調整導体は、前記素体の他方の主面に設けられ、積層方向から平面視したときに、前記非形成部の少なくとも一部と重なっていること、を特徴とする。
【発明の効果】
【００１０】
本発明によれば、コネクタにおいて特性インピーダンスが所定の特性インピーダンスからずれることを抑制できる高周波信号伝送線路及び電子機器を得ることができる。
【図面の簡単な説明】
【００１１】
【図１】第１の実施形態に係る高周波信号伝送線路の外観斜視図である。
【図２】第１の実施形態に係る高周波信号伝送線路の誘電体素体の分解図である。
【図３】第１の実施形態に係る高周波信号伝送線路の断面構造図である。
【図４】高周波信号伝送線路のコネクタの外観斜視図及び断面構造図である。
【図５】高周波信号伝送線路が用いられた電子機器をｙ軸方向及びｚ軸方向から平面視した図である。
【図６】第１の実施形態に係る高周波信号伝送線路の特性インピーダンスを示したグラフである。
【図７】高周波信号伝送線路の等価回路図である。
【図８】高周波信号伝送線路の断面構造図である。
【図９】第２の実施形態に係る高周波信号伝送線路の誘電体素体の分解図である。
【図１０】第２の実施形態に係る高周波信号伝送線路の断面構造図である。
【図１１】第２の実施形態に係る高周波信号伝送線路の特性インピーダンスを示したグラフである。
【図１２】第３の実施形態に係る高周波信号伝送線路の誘電体素体の分解図である。
【図１３】第１の変形例に係る高周波信号伝送線路の外観斜視図である。
【図１４】第２の変形例に係る高周波信号伝送線路の外観斜視図である。
【図１５】第４の実施形態に係る高周波信号伝送線路の外観斜視図である。
【図１６】第４の実施形態に係る高周波信号伝送線路の外観斜視図である。
【図１７】図１５の高周波信号伝送線路の誘電体素体の分解斜視図である。
【図１８】高周波信号伝送線路と回路基板との接続部分の斜視図である。
【図１９】高周波信号伝送線路と回路基板との接続部分の断面構造図である。
【図２０】図１７のＡ−Ａにおける高周波信号伝送線路の断面構造図である。
【発明を実施するための形態】
【００１２】
以下に、本発明の実施形態に係る高周波信号伝送線路及び電子機器について図面を参照しながら説明する。
【００１３】
（第１の実施形態）
（高周波信号伝送線路の構成）
以下に、本発明の第１の実施形態に係る高周波信号伝送線路の構成について図面を参照しながら説明する。図１は、第１の実施形態に係る高周波信号伝送線路１０の外観斜視図である。図２は、第１の実施形態に係る高周波信号伝送線路１０の誘電体素体１２の分解図である。図３は、第１の実施形態に係る高周波信号伝送線路１０の断面構造図である。図４は、高周波信号伝送線路１０のコネクタ１００ｂの外観斜視図及び断面構造図である。図１ないし図４において、高周波信号伝送線路１０の積層方向をｚ軸方向と定義する。また、高周波信号伝送線路１０の長手方向をｘ軸方向と定義し、ｘ軸方向及びｚ軸方向に直交する方向をｙ軸方向と定義する。
【００１４】
高周波信号伝送線路１０は、例えば、携帯電話等の電子機器内において、２つの高周波回路を接続するために用いられる。高周波信号伝送線路１０は、図１ないし図３に示すように、誘電体素体１２、調整板１５（１５ａ，１５ｂ）（調整導体）、信号線路２０、端子部２３（２３ａ，２３ｂ）、グランド導体２５、ビアホール導体ｂ１，ｂ２及びコネクタ１００ａ，１００ｂを備えている。
【００１５】
誘電体素体１２は、ｚ軸方向から平面視したときに、ｘ軸方向に延在しており、線路部１２ａ、接続部１２ｂ，１２ｃを含んでいる。誘電体素体１２は、図２に示す保護層１４及び誘電体シート（絶縁体層）１８（１８ａ，１８ｂ）がｚ軸方向の正方向側から負方向側へとこの順に積層されて構成されている積層体である。以下では、誘電体素体１２のｚ軸方向の正方向側の主面を表面と称し、誘電体素体１２のｚ軸方向の負方向側の主面を裏面と称す。
【００１６】
線路部１２ａは、ｘ軸方向に延在している。接続部１２ｂ，１２ｃはそれぞれ、線路部１２ａのｘ軸方向の負方向側の端部及びｘ軸方向の正方向側の端部に接続されており、矩形状をなしている。接続部１２ｂ，１２ｃのｙ軸方向の幅は、線路部１２ａのｙ軸方向の幅よりも広い。
【００１７】
誘電体シート１８は、ｚ軸方向から平面視したときに、ｘ軸方向に延在しており、誘電体素体１２と同じ形状をなしている。誘電体シート１８は、ポリイミドや液晶ポリマー等の可撓性を有する熱可塑性樹脂により構成されている。誘電体シート１８の積層後における厚さは、例えば、５０〜２００μｍである。以下では、誘電体シート１８のｚ軸方向の正方向側の主面を表面と称し、誘電体シート１８のｚ軸方向の負方向側の主面を裏面と称す。
【００１８】
また、誘電体シート１８ａは、線路部１８ａ−ａ及び接続部１８ａ−ｂ，１８ａ−ｃにより構成されている。誘電体シート１８ｂは、線路部１８ｂ−ａ及び接続部１８ｂ−ｂ，１８ｂ−ｃにより構成されている。線路部１８ａ−ａ，１８ｂ−ａは、線路部１２ａを構成している。接続部１８ａ−ｂ，１８ｂ−ｂは、接続部１２ｂを構成している。接続部１８ａ−ｃ，１８ｂ−ｃは、接続部１２ｃを構成している。
【００１９】
信号線路２０は、図２に示すように、誘電体素体１２内に設けられている線状導体であり、誘電体シート１８ａの表面をｘ軸方向に延在している。信号線路２０の両端はそれぞれ、ｚ軸方向から平面視したときに、接続部１８ａ−ｂ，１８ａ−ｃの中央に位置している。信号線路２０は、銀や銅を主成分とする比抵抗の小さな金属材料により作製されている。また、信号線路２０の両端には、金めっきが施されている。
【００２０】
グランド導体２５（第１のグランド導体）は、図２に示すように、誘電体素体１２内において信号線路２０よりもｚ軸方向の負方向側（すなわち、信号線路２０よりも誘電体素体１２の裏面側）に設けられ、より詳細には、誘電体シート１８ｂの表面に設けられている。グランド導体２５は、誘電体シート１８ｂの表面において信号線路２０に沿ってｘ軸方向に延在しており、図２に示すように、誘電体シート１８ａを介して信号線路２０と対向している。これにより、信号線路２０とグランド導体２５とは、マイクロストリップライン構造をなしている。グランド導体２５は、銀や銅を主成分とする比抵抗の小さな金属材料により作製されている。
【００２１】
また、グランド導体２５は、主要導体２５ａ及び端子導体２５ｂ，２５ｃにより構成されている。主要導体２５ａは、線路部１８ｂ−ａの表面に設けられ、ｘ軸方向に延在している。
【００２２】
端子導体２５ｂは、接続部１８ｂ−ｂの表面に設けられ、接続部１８ｂ−ｂの中央を囲む矩形状の環をなしている。これにより、グランド導体２５には、端子導体２５ｂに囲まれた領域において、導体が設けられていない非形成部Ｏａが設けられている。これにより、信号線路２０のｘ軸方向の負方向側の端部は、ｚ軸方向から平面視したときに、非形成部Ｏａ内に位置している。端子導体２５ｂは、主要導体２５ａのｘ軸方向の負方向側の端部に接続されている。
【００２３】
端子導体２５ｃは、接続部１８ｂ−ｃの表面に設けられ、接続部１８ｂ−ｃの中央を囲む環状の矩形状をなしている。これにより、グランド導体２５には、端子導体２５ｃに囲まれた領域において、導体が設けられていない非形成部Ｏｂが設けられている。これにより、信号線路２０のｘ軸方向の正方向側の端部は、ｚ軸方向から平面視したときに、非形成部Ｏｂ内に位置している。端子導体２５ｃは、主要導体２５ａのｘ軸方向の正方向側の端部に接続されている。
【００２４】
端子導体２３ａは、接続部１８ａ−ｂの表面に設けられ、接続部１８ａ−ｂの中央（すなわち、信号線路２０のｘ軸方向の負方向側の端部）を囲むコ字型をなしている。端子導体２３ａは、ｘ軸方向の正方向側に向かって開口した形状をなしている。また、端子導体２３ａは、ｚ軸方向から平面視したときに、端子導体２５ｂと重なっている。
【００２５】
端子導体２３ｂは、接続部１８ａ−ｃの表面に設けられ、接続部１８ａ−ｃの中央（すなわち、信号線路２０のｘ軸方向の正方向側の端部）を囲むコ字型をなしている。端子導体２３ｂは、ｘ軸方向の負方向側に向かって開口した形状をなしている。また、端子導体２３ｂは、ｚ軸方向から平面視したときに、端子導体２５ｃと重なっている。
【００２６】
ビアホール導体ｂ１は、誘電体シート１８ａの接続部１８ａ−ｂをｚ軸方向に貫通している。ビアホール導体ｂ１は、端子導体２３ａと端子導体２５ｂとを接続している。ビアホール導体ｂ２は、誘電体シート１８ａの接続部１８ａ−ｃをｚ軸方向に貫通している。ビアホール導体ｂ２は、端子導体２３ｂと端子導体２５ｃとを接続している。
【００２７】
保護層１４は、誘電体シート１８ａの表面の略全面を覆っている。これにより、保護層１４は、信号線路２０及び端子導体２３ａ，２３ｂを覆っている。保護層１４は、例えば、レジスト材等の可撓性樹脂からなる。
【００２８】
また、保護層１４は、図２に示すように、線路部１４ａ及び接続部１４ｂ，１４ｃにより構成されている。線路部１４ａは、線路部１８ａ−ａの表面の全面を覆うことにより、信号線路２０を覆っている。
【００２９】
接続部１４ｂは、線路部１４ａのｘ軸方向の負方向側の端部に接続されており、接続部１８ａ−ｂの表面を覆っている。ただし、接続部１４ｂには、開口Ｈａ〜Ｈｄが設けられている。開口Ｈａは、接続部１４ｂの略中央に設けられている矩形状の開口である。信号線路２０のｘ軸方向の負方向側の端部は、開口Ｈａを介して外部に露出することにより、外部端子として機能する。また、開口Ｈｂは、開口Ｈａのｙ軸方向の正方向側に設けられている矩形状の開口である。開口Ｈｃは、開口Ｈａのｘ軸方向の負方向側に設けられている矩形状の開口である。開口Ｈｄは、開口Ｈａのｙ軸方向の負方向側に設けられている矩形状の開口である。端子導体２３ａは、開口Ｈｂ〜Ｈｄを介して外部に露出することにより、外部端子として機能する。
【００３０】
接続部１４ｃは、線路部１４ａのｘ軸方向の正方向側の端部に接続されており、接続部１８ａ−ｃの表面を覆っている。ただし、接続部１４ｃには、開口Ｈｅ〜Ｈｈが設けられている。開口Ｈｅは、接続部１４ｃの略中央に設けられている矩形状の開口である。信号線路２０のｘ軸方向の正方向側の端部は、開口Ｈｅを介して外部に露出することにより、外部端子として機能する。また、開口Ｈｆは、開口Ｈｅのｙ軸方向の正方向側に設けられている矩形状の開口である。開口Ｈｇは、開口Ｈｅのｘ軸方向の正方向側に設けられている矩形状の開口である。開口Ｈｈは、開口Ｈｅのｙ軸方向の負方向側に設けられている矩形状の開口である。端子導体２３ｂは、開口Ｈｆ〜Ｈｈを介して外部に露出することにより、外部端子として機能する。
【００３１】
調整板１５ａは、誘電体素体１２の接続部１２ｂの裏面（すなわち、誘電体シート１８ｂの接続部１８ｂ−ｂの裏面）に設けられており、ｚ軸方向から平面視したときに、非形成部Ｏａの少なくとも一部と重なっている矩形状の金属板である。更に、調整板１５ａは、信号線路２０及びグランド導体２５のいずれにも電気的に接続されておらず、浮遊電位に保たれる。より詳細には、調整板１５ａは、ｚ軸方向から平面視したときに、非形成部Ｏａの全体と重なっていることにより、信号線路２０のｘ軸方向の負方向側の端部と重なっている。これにより、調整板１５ａと信号線路２０のｘ軸方向の負方向側の端部との間に容量が形成されている。更に、調整板１５ａは、非形成部Ｏａからはみ出すことによりグランド導体２５の端子導体２５ｂとｚ軸方向からの平面視で重なっている。これにより、調整板１５ａとグランド導体２５の端子導体２５ｂとの間に容量が形成されている。
【００３２】
調整板１５ｂは、誘電体素体１２の接続部１２ｃの裏面（すなわち、誘電体シート１８ｂの接続部１８ｂ−ｃの裏面）に設けられており、ｚ軸方向から平面視したときに、非形成部Ｏｂの少なくとも一部と重なっている矩形状の金属板である。更に、調整板１５ｂは、信号線路２０及びグランド導体２５のいずれにも電気的に接続されておらず、浮遊電位に保たれる。より詳細には、調整板１５ｂは、ｚ軸方向から平面視したときに、非形成部Ｏｂの全体と重なっていることにより、信号線路２０のｘ軸方向の正方向側の端部と重なっている。これにより、調整板１５ｂと信号線路２０のｘ軸方向の正方向側の端部との間に容量が形成されている。更に、調整板１５ｂは、非形成部Ｏｂからはみ出すことによりグランド導体２５の端子導体２５ｃとｚ軸方向からの平面視で重なっている。これにより、調整板１５ｂとグランド導体２５の端子導体２５ｃとの間に容量が形成されている。調整板１５ａ，１５ｂは、例えば、銅板やＳＵＳ板により構成される。
【００３３】
コネクタ１００ａ，１００ｂはそれぞれ、接続部１２ｂ，１２ｃの表面上に実装され、信号線路２０及びグランド導体２５と電気的に接続される。コネクタ１００ａ，１００ｂの構成は同じであるので、以下にコネクタ１００ｂの構成を例に挙げて説明する。
【００３４】
コネクタ１００ｂは、図１及び図４に示すように、コネクタ本体１０２、外部端子１０４，１０６及び中心導体１０８及び外部導体１１０により構成されている。コネクタ本体１０２は、矩形状の板に円筒が連結された形状をなしており、樹脂等の絶縁材料により作製されている。
【００３５】
外部端子１０４は、コネクタ本体１０２の板のｚ軸方向の負方向側の面において、信号線路２０のｘ軸方向の正方向側の端部と対向する位置に設けられている。外部端子１０６は、コネクタ本体１０２の板のｚ軸方向の負方向側の面において、開口Ｈｆ〜Ｈｈを介して露出している端子導体２３ｂに対応する位置に設けられている。
【００３６】
中心導体１０８は、コネクタ本体１０２の円筒の中心に設けられており、外部端子１０４と接続されている。中心導体１０８は、高周波信号が入力又は出力する信号端子である。外部導体１１０は、コネクタ本体１０２の円筒の内周面に設けられており、外部端子１０６と接続されている。外部導体１１０は、接地電位に保たれるグランド端子である。
【００３７】
以上のように構成されたコネクタ１００ｂは、外部端子１０４が信号線路２０のｘ軸方向の正方向側の端部と接続され、外部端子１０６が端子導体２３ｂと接続されるように、接続部１２ｃの表面上に実装される。これにより、信号線路２０は、中心導体１０８に電気的に接続されている。また、グランド導体２５は、外部導体１１０に電気的に接続されている。
【００３８】
また、コネクタ１００ｂは、ｚ軸方向から平面視したときに、図３に示すように、グランド導体２５の端子導体２５ｃに設けられている非形成部Ｏｂと重なっている。ただし、コネクタ１００ｂと非形成部Ｏｂとは、ｚ軸方向から平面視したときに、一致して重なっている必要はない。よって、非形成部Ｏｂは、ｚ軸方向から平面視したときに、コネクタ１００ｂと重なる領域の少なくとも一部に導体が設けられないことにより形成されていればよい。高周波信号伝送線路１０では、コネクタ１００ｂは、図３に示すように、ｚ軸方向から平面視したときに、非形成部Ｏｂからはみ出している。
【００３９】
高周波信号伝送線路１０は、以下に説明するように用いられる。図５は、高周波信号伝送線路１０が用いられた電子機器２００をｙ軸方向及びｚ軸方向から平面視した図である。
【００４０】
電子機器２００は、高周波信号伝送線路１０、回路基板２０２ａ，２０２ｂ、レセプタクル２０４ａ，２０４ｂ、バッテリーパック（金属体）２０６及び筐体２１０を備えている。
【００４１】
筐体２１０は、高周波信号伝送線路１０、回路基板２０２ａ，２０２ｂ、レセプタクル２０４ａ，２０４ｂ及びバッテリーパック（金属体）２０６を収容している。回路基板２０２ａには、例えば、アンテナを含む送信回路又は受信回路が設けられている。回路基板２０２ｂには、例えば、給電回路が設けられている。バッテリーパック２０６は、例えば、リチウムイオン２次電池であり、その表面が金属カバーにより覆われた構造を有している。回路基板２０２ａ、バッテリーパック２０６及び回路基板２０２ｂは、ｘ軸方向の負方向側から正方向側へとこの順に並んでいる。
【００４２】
レセプタクル２０４ａ，２０４ｂはそれぞれ、回路基板２０２ａ，２０２ｂのｚ軸方向の負方向側の主面上に設けられている。レセプタクル２０４ａ，２０４ｂにはそれぞれ、コネクタ１００ａ，１００ｂが接続される。すなわち、接続部１２ｂの表面を介して信号線路２０と回路基板２０２ａとが電気的に接続されている。接続部１２ｃの表面を介して信号線路２０と回路基板２０２ｂとが電気的に接続されている。これにより、コネクタ１００ａ，１００ｂの中心導体１０８には、回路基板２０２ａ，２０２ｂ間を伝送される例えば２ＧＨｚの周波数を有する高周波信号がレセプタクル２０４ａ，２０４ｂを介して印加される。また、コネクタ１００ａ，１００ｂの外部導体１１０には、回路基板２０２ａ，２０２ｂ及びレセプタクル２０４ａ，２０４ｂを介して、グランド電位に保たれる。これにより、高周波信号伝送線路１０は、回路基板２０２ａ，２０２ｂ間を電気的に接続している。
【００４３】
ここで、誘電体素体１２の表面（より正確には、保護層１４）は、バッテリーパック２０６に対して接触している。そして、誘電体素体１２の表面とバッテリーパック２０６とは、接着剤等により固定されている。
【００４４】
（高周波信号伝送線路の製造方法）
以下に、高周波信号伝送線路１０の製造方法について図２を参照しながら説明する。以下では、一つの高周波信号伝送線路１０が作製される場合を例にとって説明するが、実際には、大判の誘電体シートが積層及びカットされることにより、同時に複数の高周波信号伝送線路１０が作製される。
【００４５】
まず、表面の全面に銅箔が形成された熱可塑性樹脂からなる誘電体シート１８を準備する。誘電体シート１８の銅箔の表面は、例えば、防錆のための亜鉛鍍金が施されることにより、平滑化されている。銅箔の厚さは、１０μｍ〜２０μｍである。
【００４６】
次に、フォトリソグラフィ工程により、図２に示す信号線路２０及び端子導体２３ａ，２３ｂを誘電体シート１８ａの表面に形成する。具体的には、誘電体シート１８ａの銅箔上に、図２に示す信号線路２０及び端子導体２３ａ，２３ｂと同じ形状のレジストを印刷する。そして、銅箔に対してエッチング処理を施すことにより、レジストにより覆われていない部分の銅箔を除去する。その後、レジストを除去する。これにより、図２に示すような、信号線路２０及び端子導体２３ａ，２３ｂが誘電体シート１８ａの表面に形成される。
【００４７】
次に、フォトリソグラフィ工程により、図２に示すグランド導体２５を誘電体シート１８ｂの表面に形成する。なお、ここでのフォトリソグラフィ工程は、信号線路２０及び端子導体２３ａ，２３ｂを形成する際のフォトリソグラフィ工程と同様であるので、説明を省略する。
【００４８】
次に、誘電体シート１８ａのビアホール導体ｂ１，ｂ２が形成される位置に対して、裏面側からレーザービームを照射して、貫通孔を形成する。その後、誘電体シート１８ａに形成した貫通孔に対して、導電性ペーストを充填する。
【００４９】
次に、誘電体シート１８ａ，１８ｂをｚ軸方向の正方向側から負方向側へとこの順に積み重ねる。そして、誘電体シート１８ａ，１８ｂに対してｚ軸方向の正方向側及び負方向側から熱及び圧力を加えることにより、誘電体シート１８ａ，１８ｂを軟化させて圧着・一体化するとともに、貫通孔に充填された導電性ペーストを固化して、図２に示すビアホール導体ｂ１，ｂ２を形成する。なお、各誘電体シート１８は、熱圧着に代えてエポキシ系樹脂等の接着剤を用いて一体化されてもよい。また、ビアホール導体ｂ１，ｂ２は、誘電体シート１８を一体化した後に、貫通孔を形成し、貫通孔に導電性ペーストを充填するかめっき膜を形成することによって形成されてもよい。なお、ビアホール導体ｂ１，ｂ２は必ずしも貫通孔が導体で完全に埋められている必要はなく、例えば貫通孔の内周面のみに沿って導体を形成することによって形成されてもよい。
【００５０】
次に、樹脂（レジスト）ペーストを塗布することにより、誘電体シート１８ａ上に保護層１４を形成する。
【００５１】
最後に、接続部１２ｂ，１２ｃの裏面に調整板１５ａ，１５ｂを接着剤等により貼り付ける。これにより、図１に示す高周波信号伝送線路１０が得られる。
【００５２】
（効果）
以上のように構成された高周波信号伝送線路１０によれば、コネクタ１００ａ，１００ｂにおいて特性インピーダンスが所定の特性インピーダンスからずれることを抑制できる。図６は、第１の実施形態に係る高周波信号伝送線路１０の特性インピーダンスを示したグラフである。縦軸は特性インピーダンスを示し、横軸はｘ軸を示す。図６の実線は高周波信号伝送線路１０の特性インピーダンスを示しており、図６の点線は比較例に係る高周波信号伝送線路の特性インピーダンスを示している。比較例に係る高周波信号伝送線路には、調整板１５ａ，１５ｂが設けられていない。図７は、高周波信号伝送線路１０の等価回路図である。図８は、高周波信号伝送線路１０の断面構造図である。
【００５３】
比較例に係る高周波信号伝送線路において、誘電体素体１２の両端にコネクタ１００ａ，１００ｂが実装されると、図６の点線に示すように、コネクタ１００ａ，１００ｂにおいて特性インピーダンスが所定の特性インピーダンス（５０Ω）からずれる。ここでは、コネクタ１００ａ，１００ｂは、コネクタ１００ａ，１００ｂの特性インピーダンスが所定の特性インピーダンスよりもわずかに高くなるように設計されている。
【００５４】
そこで、高周波信号伝送線路１０では、調整板１５ａ，１５ｂはそれぞれ、誘電体素体１２の裏面に設けられ、ｚ軸方向から平面視したときに、非形成部Ｏａ，Ｏｂの少なくとも一部と重なっている。これにより、図７及び図８に示すように、調整板１５ａ，１５ｂと信号線路２０の端部との間に容量Ｃ２が形成されるようになる。更に、調整板１５ａ，１５ｂとグランド導体２５の端子導体２５ｂ，２５ｃとの間に容量Ｃ３が形成されるようになる。すなわち、信号線路２０とグランド導体２５との間には、容量Ｃ２，Ｃ３とが直列に接続されている。
【００５５】
ここで、容量Ｃ２，Ｃ３が直列に接続されると、容量Ｃ２，Ｃ３の合成容量Ｃｔは微小な値となる。よって、コネクタ１００ａ，１００ｂに微小な合成容量Ｃｔを形成して、コネクタ１００ａ，１００ｂの特性インピーダンスをわずかに下げることが可能となる。すなわち、コネクタ１００ａ，１００ｂの特性インピーダンスを微調整することできる。以上より、高周波信号伝送線路１０では、非形成部Ｏａ，Ｏｂ及び調整板１５ａ，１５ｂを設けることによって、コネクタ１００ａ，１００ｂの特性インピーダンスを所定の特性インピーダンスに精度良く一致させることが可能となる。
【００５６】
また、コネクタ１００ａ，１００ｂをレセプタクル２０４ａ，２０４ｂに装着する際には、接続部１２ｂ，１２ｃに力が加わる。そのため、接続部１２ｂ，１２ｃが大きく変形して破損するおそれがある。そこで、高周波信号伝送線路１０では、誘電体素体１２に比べて硬質な調整板１５ａ，１５ｂが接続部１２ｂ，１２ｃに設けられている。これにより、接続部１２ｂ，１２ｃが大きく変形することが抑制され、接続部１２ｂ，１２ｃの破損が抑制される。
【００５７】
（第２の実施形態）
（高周波信号伝送線路の構成）
以下に、本発明の第２の実施形態に係る高周波信号伝送線路の構成について図面を参照しながら説明する。図９は、第２の実施形態に係る高周波信号伝送線路１０ａの誘電体素体１２の分解図である。図１０は、第２の実施形態に係る高周波信号伝送線路１０ａの断面構造図である。なお、高周波信号伝送線路１０ａの外観斜視図については、図１を援用する。
【００５８】
高周波信号伝送線路１０ａは、図１及び図９に示すように、誘電体素体１２、外部端子１６（１６ａ，１６ｂ）、接続導体１７（１７ａ，１７ｂ）、信号線路２０、グランド導体２２，２４、ビアホール導体ｂ１１〜ｂ１４，Ｂ１〜Ｂ６及びコネクタ１００ａ，１００ｂを備えている。
【００５９】
誘電体素体１２は、ｚ軸方向から平面視したときに、ｘ軸方向に延在しており、線路部１２ａ、接続部１２ｂ，１２ｃを含んでいる。誘電体素体１２は、図２に示す保護層１４及び誘電体シート（絶縁体層）１８（１８ａ〜１８ｄ）がｚ軸方向の正方向側から負方向側へとこの順に積層されて構成されている積層体である。以下では、誘電体素体１２のｚ軸方向の正方向側の主面を表面と称し、誘電体素体１２のｚ軸方向の負方向側の主面を裏面と称す。
【００６０】
線路部１２ａは、ｘ軸方向に延在している。接続部１２ｂ，１２ｃはそれぞれ、線路部１２ａのｘ軸方向の負方向側の端部及びｘ軸方向の正方向側の端部に接続されており、矩形状をなしている。接続部１２ｂ，１２ｃのｙ軸方向の幅は、線路部１２ａのｙ軸方向の幅よりも広い。
【００６１】
誘電体シート１８は、ｚ軸方向から平面視したときに、ｘ軸方向に延在しており、誘電体素体１２と同じ形状をなしている。誘電体シート１８は、ポリイミドや液晶ポリマー等の可撓性を有する熱可塑性樹脂により構成されている。誘電体シート１８の積層後の厚さは、例えば、５０〜２００μｍである。以下では、誘電体シート１８のｚ軸方向の正方向側の主面を表面と称し、誘電体シート１８のｚ軸方向の負方向側の主面を裏面と称す。
【００６２】
また、誘電体シート１８ａは、線路部１８ａ−ａ及び接続部１８ａ−ｂ，１８ａ−ｃにより構成されている。誘電体シート１８ｂは、線路部１８ｂ−ａ及び接続部１８ｂ−ｂ，１８ｂ−ｃにより構成されている。誘電体シート１８ｃは、線路部１８ｃ−ａ及び接続部１８ｃ−ｂ，１８ｃ−ｃにより構成されている。誘電体シート１８ｄは、線路部１８ｄ−ａ及び接続部１８ｄ−ｂ，１８ｄ−ｃにより構成されている。線路部１８ａ−ａ，１８ｂ−ａ，１８ｃ−ａ，１８ｄ−ａは、線路部１２ａを構成している。接続部１８ａ−ｂ，１８ｂ−ｂ，１８ｃ−ｂ，１８ｄ−ｂは、接続部１２ｂを構成している。接続部１８ａ−ｃ，１８ｂ−ｃ，１８ｃ−ｃ，１８ｄ−ｃは、接続部１２ｃを構成している。
【００６３】
外部端子１６ａは、図１及び図９に示すように、接続部１８ａ−ｂの表面の中央近傍に設けられている矩形状の導体である。外部端子１６ｂは、図１及び図９に示すように、接続部１８ａ−ｃの表面の中央近傍に設けられている矩形状の導体である。外部端子１６ａ，１６ｂは、銀や銅を主成分とする比抵抗の小さな金属材料により作製されている。また、外部端子１６ａ，１６ｂの表面には、金めっきが施されている。
【００６４】
接続導体１７ａは、図１及び図９に示すように、接続部１８ｂ−ｂの表面の中央近傍に設けられている矩形状の導体であり、ｚ軸方向から平面視したときに、外部端子１６ａと重なっている。接続導体１７ｂは、図１及び図９に示すように、接続部１８ｂ−ｃの表面の中央近傍に設けられている矩形状の導体であり、ｚ軸方向から平面視したときに、外部端子１６ｂと重なっている。接続導体１７ａ，１７ｂは、銀や銅を主成分とする比抵抗の小さな金属材料により作製されている。
【００６５】
信号線路２０は、図９に示すように、誘電体素体１２内に設けられている線状導体であり、誘電体シート１８ｃの表面をｘ軸方向に延在している。信号線路２０の両端はそれぞれ、ｚ軸方向から平面視したときに、外部端子１６ａ，１６ｂ及び接続導体１７ａ，１７ｂと重なっている。信号線路２０は、銀や銅を主成分とする比抵抗の小さな金属材料により作製されている。
【００６６】
グランド導体２２（第２のグランド導体）は、図９に示すように、誘電体素体１２内において信号線路２０よりもｚ軸方向の正方向側（すなわち、誘電体素体１２の表面側）に設けられ、より詳細には、誘電体シート１８ａの表面に設けられている。グランド導体２２は、誘電体シート１８ａの表面において信号線路２０に沿ってｘ軸方向に延在しており、図９に示すように、誘電体シート１８ａ，１８ｂを介して信号線路２０と対向している。
【００６７】
また、グランド導体２２は、主要導体２２ａ、端子導体２２ｂ，２２ｃにより構成されている。主要導体２２ａは、線路部１８ａ−ａの表面に設けられ、ｘ軸方向に延在している。主要導体２２ａには、実質的に開口が設けられていない。すなわち、主要導体２２ａは、線路部１２ａにおける信号線路２０に沿ってｘ軸方向に連続的に延在する電極、所謂ベタ状の電極である。ただし、主要導体２２ａは線路部１２ａを完全に覆っている必要はなく、例えば、誘電体シート１８の熱可塑性樹脂が熱圧着される際に発生するガスを逃がすために主要導体２２ａの所定の位置に微小な穴などが設けられるものであってもよい。主要導体２２ａは、銀や銅を主成分とする比抵抗の小さな金属材料により作製されている。
【００６８】
端子導体２２ｂは、接続部１８ａ−ｂの表面に設けられ、外部端子１６ａの周囲を囲む矩形状の環をなしている。端子導体２２ｂは、主要導体２２ａのｘ軸方向の負方向側の端部に接続されている。端子導体２２ｃは、接続部１８ａ−ｃの表面に設けられ、外部端子１６ｂの周囲を囲む環状の矩形状をなしている。端子導体２２ｃは、主要導体２２ａのｘ軸方向の正方向側の端部に接続されている。
【００６９】
ここで、高周波信号伝送線路１０ａの特性インピーダンスは、主に、信号線路２０とグランド導体２２との対向面積及び距離、並びに、誘電体シート１８ａ〜１８ｄの比誘電率に基づいて定まる。そこで、高周波信号伝送線路１０ａの特性インピーダンスを５０Ωに設定する場合には、例えば、信号線路２０とグランド導体２２によって高周波信号伝送線路１０ａの特性インピーダンスが５０Ωよりもやや高めの５５Ωとなるように設計する。そして、信号線路２０とグランド導体２２と後述するグランド導体２４とによって高周波信号伝送線路１０ａの特性インピーダンスが５０Ωとなるように、後述するグランド導体２４の形状を調整する。以上のように、グランド導体２２は、基準グランド導体としての役割を果たす。
【００７０】
グランド導体２４（第１のグランド導体）は、図９に示すように、誘電体素体１２内において信号線路２０よりもｚ軸方向の負方向側（すなわち、誘電体素体１２の裏面側）に設けられ、より詳細には、誘電体シート１８ｄの表面に設けられている。グランド導体２４は、誘電体シート１８ｄの表面において信号線路２０に沿ってｘ軸方向に延在しており、図９に示すように、誘電体シート１８ｃを介して信号線路２０と対向している。グランド導体２４は、銀や銅を主成分とする比抵抗の小さな金属材料により作製されている。
【００７１】
また、グランド導体２４は、線路導体２４ａ及び端子導体２４ｂ，２４ｃにより構成されている。線路導体２４ａは、線路部１８ｄ−ａの表面に設けられ、ｘ軸方向に延在している。そして、線路導体２４ａは、導体層が形成されていない複数の開口３０と導体層が形成されている部分である複数のブリッジ部６０とが交互に信号線路２０に沿って設けられることにより、はしご状をなしている。開口３０は、図９に示すように、ｚ軸方向から平面視したときに、ｘ軸方向に長手方向を有する楕円形状をなしており、信号線路２０と重なっている。これにより、信号線路２０は、ｚ軸方向から平面視したときに、開口３０とブリッジ部６０と交互に重なっている。また、開口３０は、等間隔に並んでいる。
【００７２】
端子導体２４ｂは、接続部１８ｄ−ｂの表面に設けられ、接続部１８ｄ−ｂの中央を囲む矩形状の環をなしている。これにより、グランド導体２４には、端子導体２４ｂに囲まれた領域において、導体が設けられていない非形成部Ｏａが設けられている。また、信号線路２０のｘ軸方向の負方向側の端部は、ｚ軸方向から平面視したときに、非形成部Ｏａ内に位置している。端子導体２４ｂは、線路導体２４ａのｘ軸方向の負方向側の端部に接続されている。
【００７３】
端子導体２４ｃは、接続部１８ｄ−ｃの表面に設けられ、接続部１８ｄ−ｃの中央を囲む矩形状の環をなしている。これにより、グランド導体２４には、端子導体２４ｃに囲まれた領域において、導体が設けられていない非形成部Ｏｂが設けられている。また、信号線路２０のｘ軸方向の正方向側の端部は、ｚ軸方向から平面視したときに、非形成部Ｏｂ内に位置している。端子導体２４ｃは、線路導体２４ａのｘ軸方向の正方向側の端部に接続されている。
【００７４】
グランド導体２４は、シールドとしても機能する補助グランド導体である。また、グランド導体２４は、前記の通り、高周波信号伝送線路１０ａの特性インピーダンスが５０Ωとなるように最終的な調整を行うために設計されている。具体的には、開口３０の大きさやブリッジ部６０の線幅等を設計する。
【００７５】
以上のように、グランド導体２２には開口が設けられず、グランド導体２４には開口３０が設けられている。よって、グランド導体２４と信号線路２０とが対向している面積は、グランド導体２２と信号線路２０とが対向している面積よりも小さい。
【００７６】
ここで、高周波信号伝送線路１０ａにおいて、図９に示すように、開口３０が設けられている領域を領域Ａ１と呼び、ブリッジ部６０が設けられている領域を領域Ａ２と呼ぶ。すなわち、領域Ａ１では、信号線路２０は、開口３０と重なっており、領域Ａ２では、信号線路２０は、ブリッジ部６０と重なっており、開口３０と重なっていない。領域Ａ１と領域Ａ２とは、ｘ軸方向に交互に並んでいる。
【００７７】
また、図９に示すように、領域Ａ１における信号線路２０の線幅Ｗａは、領域Ａ２における信号線路２０の線幅Ｗｂよりも大きい。領域Ａ１においては、信号線路２０はグランド導体２４と重なっていないため、線幅Ｗａを大きくして信号線の高周波抵抗値を小さくすることができる。一方、領域Ａ２においては、信号線路２０はグランド導体２４と重なっているため、高周波抵抗値の低下を抑制するために領域Ａ１よりも線幅Ｗｂを小さく設定している。
【００７８】
ビアホール導体ｂ１１は、誘電体シート１８ａの接続部１８ａ−ｂをｚ軸方向に貫通しており、外部端子１６ａと接続導体１７ａとを接続している。ビアホール導体ｂ１３は、誘電体シート１８ｂの接続部１８ｂ−ｂをｚ軸方向に貫通しており、接続導体１７ａと信号線路２０のｘ軸方向の負方向側の端部を接続している。これにより、信号線路２０のｘ軸方向の負方向側の端部は、外部端子１６ａに接続されている。
【００７９】
ビアホール導体ｂ１２は、誘電体シート１８ａの接続部１８ａ−ｃをｚ軸方向に貫通しており、外部端子１６ｂと接続導体１７ｂとを接続している。ビアホール導体ｂ１４は、誘電体シート１８ｂの接続部１８ｂ−ｃをｚ軸方向に貫通しており、接続導体１７ｂと信号線路２０のｘ軸方向の正方向側の端部を接続している。これにより、信号線路２０のｘ軸方向の正方向側の端部は、外部端子１６ｂに接続されている。ビアホール導体ｂ１１〜ｂ１４は、銀や銅を主成分とする比抵抗の小さな金属材料により作製されている。
【００８０】
複数のビアホール導体Ｂ１〜Ｂ３はそれぞれ、誘電体シート１８ａ，１８ｂ，１８ｃの線路部１８ａ−ａ，１８ｂ−ａ，１８ｃ−ａをｚ軸方向に貫通しており、線路部１８ａ−ａ，１８ｂ−ａ，１８ｃ−ａにおいて一列に等間隔に並んでいる。ビアホール導体Ｂ１〜Ｂ３は、ｚ軸方向から平面視したときに、信号線路２０よりもｙ軸方向の正方向側に設けられている。そして、ビアホール導体Ｂ１〜Ｂ３は、互いに接続されることにより１本のビアホール導体を構成しており、グランド導体２２とグランド導体２４とを接続している。ビアホール導体Ｂ１〜Ｂ３は、銀や銅を主成分とする比抵抗の小さな金属材料により作製されている。
【００８１】
複数のビアホール導体Ｂ４〜Ｂ６はそれぞれ、誘電体シート１８ａ，１８ｂ，１８ｃの線路部１８ａ−ａ，１８ｂ−ａ，１８ｃ−ａをｚ軸方向に貫通しており、線路部１８ａ−ａ，１８ｂ−ａ，１８ｃ−ａにおいて一列に等間隔に並んでいる。ビアホール導体Ｂ４〜Ｂ６は、ｚ軸方向から平面視したときに、信号線路２０よりもｙ軸方向の負方向側に設けられている。そして、ビアホール導体Ｂ４〜Ｂ６は、互いに接続されることにより１本のビアホール導体を構成しており、グランド導体２２とグランド導体２４とを接続している。ビアホール導体Ｂ４〜Ｂ６は、銀や銅を主成分とする比抵抗の小さな金属材料により作製されている。
【００８２】
以上のように、信号線路２０及びグランド導体２２，２４は、トリプレート型のストリップライン構造をなしている。そして、信号線路２０とグランド導体２２との間隔は、図１０に示すように誘電体シート１８ａ，１８ｂの合計の厚さＴ１と略等しく、例えば、５０μｍ〜３００μｍである。本実施形態では、信号線路２０とグランド導体２２との間隔は、１５０μｍである。一方、信号線路２０とグランド導体２４との間隔は、図１０に示すように誘電体シート１８ｃの厚さＴ２と略等しく、例えば、１０μｍ〜１００μｍである。本実施形態では、信号線路２０とグランド導体２４との間隔は、５０μｍである。すなわち、厚さＴ１は厚さＴ２よりも大きくなるように設計されている。
【００８３】
保護層１４は、誘電体シート１８ａの表面の略全面を覆っている。これにより、保護層１４は、グランド導体２２を覆っている。保護層１４は、例えば、レジスト材等の可撓性樹脂からなる。
【００８４】
また、保護層１４は、図９に示すように、線路部１４ａ及び接続部１４ｂ，１４ｃにより構成されている。線路部１４ａは、線路部１８ａ−ａの表面の全面を覆うことにより、主要導体２２ａを覆っている。
【００８５】
接続部１４ｂは、線路部１４ａのｘ軸方向の負方向側の端部に接続されており、接続部１８ａ−ｂの表面を覆っている。ただし、接続部１４ｂには、開口Ｈａ〜Ｈｄが設けられている。開口Ｈａは、接続部１４ｂの略中央に設けられている矩形状の開口である。外部端子１６ａは、開口Ｈａを介して外部に露出している。また、開口Ｈｂは、開口Ｈａのｙ軸方向の正方向側に設けられている矩形状の開口である。開口Ｈｃは、開口Ｈａのｘ軸方向の負方向側に設けられている矩形状の開口である。開口Ｈｄは、開口Ｈａのｙ軸方向の負方向側に設けられている矩形状の開口である。端子導体２２ｂは、開口Ｈｂ〜Ｈｄを介して外部に露出することにより、外部端子として機能する。
【００８６】
接続部１４ｃは、線路部１４ａのｘ軸方向の正方向側の端部に接続されており、接続部１８ａ−ｃの表面を覆っている。ただし、接続部１４ｃには、開口Ｈｅ〜Ｈｈが設けられている。開口Ｈｅは、接続部１４ｃの略中央に設けられている矩形状の開口である。外部端子１６ｂは、開口Ｈｅを介して外部に露出している。また、開口Ｈｆは、開口Ｈｅのｙ軸方向の正方向側に設けられている矩形状の開口である。開口Ｈｇは、開口Ｈｅのｘ軸方向の正方向側に設けられている矩形状の開口である。開口Ｈｈは、開口Ｈｅのｙ軸方向の負方向側に設けられている矩形状の開口である。端子導体２２ｃは、開口Ｈｆ〜Ｈｈを介して外部に露出することにより、外部端子として機能する。
【００８７】
調整板１５ａは、誘電体素体１２の接続部１２ｂの裏面に設けられており、ｚ軸方向から平面視したときに、非形成部Ｏａの少なくとも一部と重なっている矩形状の金属板である。更に、調整板１５ａは、信号線路２０及びグランド導体２２，２４のいずれにも電気的に接続されていない。より詳細には、調整板１５ａは、ｚ軸方向から平面視したときに、非形成部Ｏａの全体と重なっていることにより、信号線路２０のｘ軸方向の負方向側の端部と重なっている。これにより、調整板１５ａと信号線路２０のｘ軸方向の負方向側の端部との間に容量が形成されている。更に、調整板１５ａは、非形成部Ｏａからはみ出すことによりグランド導体２４の端子導体２４ｂと重なっている。これにより、調整板１５ａとグランド導体２４の端子導体２４ｂとの間に容量が形成されている。
【００８８】
調整板１５ｂは、誘電体素体１２の接続部１２ｃの裏面に設けられており、ｚ軸方向から平面視したときに、非形成部Ｏｂの少なくとも一部と重なっている矩形状の金属板である。更に、調整板１５ｂは、信号線路２０及びグランド導体２２，２４のいずれにも電気的に接続されていない。より詳細には、調整板１５ｂは、ｚ軸方向から平面視したときに、非形成部Ｏｂの全体と重なっていることにより、信号線路２０のｘ軸方向の正方向側の端部と重なっている。これにより、調整板１５ｂと信号線路２０のｘ軸方向の正方向側の端部との間に容量が形成されている。更に、調整板１５ｂは、非形成部Ｏｂからはみ出すことによりグランド導体２４の端子導体２４ｃと重なっている。これにより、調整板１５ｂとグランド導体２４の端子導体２４ｃとの間に容量が形成されている。
【００８９】
なお、高周波信号伝送線路１０ａにおけるコネクタ１００ａ，１００ｂの構成は、高周波信号伝送線路１０におけるコネクタ１００ａ，１００ｂの構成と同じであるので説明を省略する。
【００９０】
（効果）
以上のように構成された高周波信号伝送線路１０ａによれば、高周波信号伝送線路１０と同様に、コネクタ１００ａ，１００ｂにおいて特性インピーダンスが所定の特性インピーダンスからずれることを抑制できる。図１１は、第２の実施形態に係る高周波信号伝送線路１０ａの特性インピーダンスを示したグラフである。縦軸は特性インピーダンスを示し、横軸はｘ軸を示す。図１１の実線は高周波信号伝送線路１０ａの特性インピーダンスを示しており、図１１の点線は比較例に係る高周波信号伝送線路の特性インピーダンスを示している。比較例に係る高周波信号伝送線路には、調整板１５ａ，１５ｂが設けられていない。
【００９１】
高周波信号伝送線路１０ａでは、高周波信号伝送線路１０と同様に、図１１に示すように、コネクタ１００ａ，１００ｂは、コネクタ１００ａ，１００ｂの特性インピーダンスが所定の特性インピーダンスよりもわずかに高くなるように設計されている。そして、非形成部Ｏａ，Ｏｂ及び調整板１５ａ，１５ｂが設けられることによって、コネクタ１００ａ，１００ｂの特性インピーダンスがわずかに下げられている。これにより、高周波信号伝送線路１０ａにおいても、コネクタ１００ａ，１００ｂの特性インピーダンスを所定の特性インピーダンスに精度良く一致させることができる。
【００９２】
また、高周波信号伝送線路１０ａでは、領域Ａ１における信号線路２０の特性インピーダンスは、領域Ａ２における信号線の特性インピーダンスよりも高い。より詳細には、信号線路２０の特性インピーダンスは、以下に説明するように、隣り合う２つのブリッジ部６０間において、一方のブリッジ部６０から他方のブリッジ部６０に近づくにしたがって、最小値Ｚ２から最大値Ｚ１へと増加した後に、最大値Ｚ１から最小値Ｚ２へと減少するように変動する。
【００９３】
開口３０のｙ軸方向の幅は、領域Ａ１のｘ軸方向の中央において最大となっており、領域Ａ１のｘ軸方向の両端に近づくにしたがって小さくなっている。そのため、領域Ａ１における信号線路２０とグランド導体２４との距離は、領域Ａ１のｘ軸方向の中央において最大となっており、領域Ａ１のｘ軸方向の両端に近づくにしたがって小さくなっている。これにより、領域Ａ１のｘ軸方向の中央における信号線路２０に発生する磁界の強度が、領域Ａ１のｘ軸方向の両端における信号線路２０に発生する磁界の強度よりも大きくなる。すなわち、領域Ａ１のｘ軸方向の中央におけるインダクタンス成分が大きくなる。つまり、領域Ａ１のｘ軸方向の中央においてはＬ性が支配的になる。
【００９４】
一方、領域Ａ２には、ブリッジ部６０が設けられている。そのため、領域Ａ２における信号線路２０とグランド導体２４との距離は、領域Ａ１における信号線路２０とグランド導体２４との距離よりも小さい。これにより、領域Ａ２における信号線路２０に発生する容量が、領域Ａ１における信号線路２０に発生する容量よりも大きくなることに加えて、領域Ａ２における磁界強度が領域Ａ１における磁界強度より小さくなる。つまり、領域Ａ２においてはＣ性が支配的になる。
【００９５】
以上より、領域Ａ１のｘ軸方向の中央では、信号線路２０とグランド導体２４との間に殆ど容量が発生しないので、主に、信号線路２０のインダクタンスによって最大値Ｚ１が発生する。また、領域Ａ２では、信号線路２０とグランド導体２４との間に大きな容量が発生しているので、主に、容量によって最小値Ｚ２が発生する。その結果、信号線路２０の特性インピーダンスは、図１１に示すように、最大値Ｚ１と最小値Ｚ２との間を周期的に変動する。最大値Ｚ１は、例えば、７０Ωである。最小値Ｚ２は、例えば、３０Ωである。ただし、信号線路２０全体の特性インピーダンスが所定の特性インピーダンス（例えば、５０Ω）となるように、領域Ａ１における信号線路２０の特性インピーダンス及び領域Ａ２における特性インピーダンスは設計されている。
【００９６】
また、高周波信号伝送線路１０ａによれば、グランド導体２４におけるグランド電位の安定化にともなう伝送ロスの低減、さらにはシールド特性の向上ができる。より詳細には、高周波信号伝送線路１０ａでは、領域Ａ１のｘ軸方向の中央における開口３０の幅は、領域Ａ１のｘ軸方向の両端における開口３０の幅よりも広い。これにより、高周波信号伝送線路１０ａでは、領域Ａ１のｘ軸方向の中央に位置している信号線路２０の磁界エネルギーは、領域Ａ１のｘ軸方向の両端に位置している信号線路２０の磁界エネルギーよりも高くなる。また、領域Ａ２に位置している信号線路２０の磁界エネルギーは、領域Ａ１のｘ軸方向の両端に位置している信号線路２０の磁界エネルギーよりも低くなる。よって、信号線路２０の特性インピーダンスが、図１１に示すように、Ｚ２、Ｚ１、Ｚ２・・・の順に繰り返し変動するようになる。よって、信号線路２０において、ｘ軸方向に隣り合う部分における磁界エネルギーの変動が緩やかになる。その結果、領域Ａ１，Ａ２の境界において磁界エネルギーが小さくなり、グランド導体のグランド電位の変動が抑制され、不要輻射の発生および高周波信号の伝送損失が抑制される。
【００９７】
さらに、高周波信号伝送線路１０ａでは、図５に示す電子機器２００のような電子機器に配置される際に、信号線路２０よりもバッテリーパック２０６側にベタ状のグランド導体２２が配置されることから、信号線路２０へのバッテリーパック２０６側からの電気的な干渉を抑制できる。したがって、バッテリーパック２０６などの金属部材が近接していても伝送ロスが少ない高周波信号伝送線路を得ることができる。
【００９８】
（第３の実施形態）
（高周波信号伝送線路の構成）
以下に、本発明の第３の実施形態に係る高周波信号伝送線路の構成について図面を参照しながら説明する。図１２は、第３の実施形態に係る高周波信号伝送線路１０ｂの誘電体素体１２の分解図である。なお、高周波信号伝送線路１０ｂの外観斜視図については、図１を援用する。
【００９９】
高周波信号伝送線路１０ｂは、主にグランド導体２４が設けられていない点において高周波信号伝送線路１０ａと相違している。以下に、かかる相違点を中心により詳細に説明する。
【０１００】
外部端子１６ａは、図１及び図１２に示すように、接続部１８ａ−ｂの表面の中央近傍に設けられている矩形状の導体である。外部端子１６ｂは、図１及び図１２に示すように、接続部１８ａ−ｃの表面の中央近傍に設けられている矩形状の導体である。外部端子１６ａ，１６ｂは、銀や銅を主成分とする比抵抗の小さな金属材料により作製されている。また、外部端子１６ａ，１６ｂの表面には、金めっきが施されている。
【０１０１】
信号線路２０は、図１２に示すように、誘電体素体１２内に設けられている線状導体であり、誘電体シート１８ｂの表面をｘ軸方向に延在している。信号線路２０の線幅は一定である。信号線路２０の両端はそれぞれ、ｚ軸方向から平面視したときに、外部端子１６ａ，１６ｂと重なっている。信号線路２０は、銀や銅を主成分とする比抵抗の小さな金属材料により作製されている。
【０１０２】
ビアホール導体ｂ１１は、誘電体シート１８ａの接続部１８ａ−ｂをｚ軸方向に貫通しており、外部端子１６ａと信号線路２０のｘ軸方向の負方向側の端部を接続している。ビアホール導体ｂ１２は、誘電体シート１８ａの接続部１８ａ−ｃをｚ軸方向に貫通しており、外部端子１６ｂと信号線路２０のｘ軸方向の正方向側の端部を接続している。ビアホール導体ｂ１１，ｂ１２は、銀や銅を主成分とする比抵抗の小さな金属材料により作製されている。
【０１０３】
グランド導体２２（第１のグランド導体）は、図１２に示すように、誘電体素体１２内において信号線路２０よりもｚ軸方向の正方向側（すなわち、誘電体素体１２の表面側）に設けられ、より詳細には、誘電体シート１８ａの表面に設けられている。グランド導体２２は、誘電体シート１８ａの表面において信号線路２０に沿ってｘ軸方向に延在しており、図１２に示すように、誘電体シート１８ａ，１８ｂを介して信号線路２０と対向している。
【０１０４】
また、グランド導体２２は、主要導体２２ａ、端子導体２２ｂ，２２ｃにより構成されている。主要導体２２ａは、線路部１８ａ−ａの表面に設けられ、ｘ軸方向に延在している。主要導体２２ａには、実質的に開口が設けられていない。すなわち、主要導体２２ａは、線路部１２ａにおける信号線路２０に沿ってｘ軸方向に連続的に延在する電極、所謂ベタ状の電極である。ただし、主要導体２２ａは線路部１２ａを完全に覆っている必要はなく、例えば、誘電体シート１８の熱可塑性樹脂が熱圧着される際に発生するガスを逃がすために主要導体２２ａの所定の位置に微小な穴などが設けられるものであってもよい。主要導体２２ａは、銀や銅を主成分とする比抵抗の小さな金属材料により作製されている。
【０１０５】
端子導体２２ｂは、接続部１８ａ−ｂの表面に設けられ、外部端子１６ａの周囲を囲む矩形状の環をなしている。これにより、グランド導体２２には、端子導体２２ｂに囲まれた領域において、導体が設けられていない非形成部Ｏａが設けられている。外部端子１６ａ及び信号線路２０のｘ軸方向の負方向側の端部は、ｚ軸方向から平面視したときに、非形成部Ｏａ内に位置している。端子導体２２ｂは、主要導体２２ａのｘ軸方向の負方向側の端部に接続されている。
【０１０６】
端子導体２２ｃは、接続部１８ａ−ｃの表面に設けられ、外部端子１６ｂの周囲を囲む環状の矩形状をなしている。これにより、グランド導体２２には、端子導体２２ｃに囲まれた領域において、導体が設けられていない非形成部Ｏｂが設けられている。外部端子１６ｂ及び信号線路２０のｘ軸方向の正方向側の端部は、ｚ軸方向から平面視したときに、非形成部Ｏｂ内に位置している。端子導体２２ｃは、主要導体２２ａのｘ軸方向の正方向側の端部に接続されている。
【０１０７】
高周波信号伝送線路１０ｂの保護層１４及び調整板１５ａ，１５ｂは、高周波信号伝送線路１０ａの保護層１４及び調整板１５ａ，１５ｂと同じであるので説明を省略する。
【０１０８】
以上のように、高周波信号伝送線路１０，１０ａでは、信号線路２０よりもｚ軸方向の負方向側（すなわち、誘電体素体１２の裏面側）に設けられたグランド導体２４，２５に非形成部Ｏａ，Ｏｂが設けられている。一方、高周波信号伝送線路１０ｂでは、図１２に示すように、非形成部Ｏａ，Ｏｂが設けられているグランド導体２４，２５が存在しない。その代わりに、高周波信号伝送線路１０ｂでは、信号線路２０よりもｚ軸方向の正方向側（すなわち、誘電体素体１２の表面側）に設けられたグランド導体２２に非形成部Ｏａ，Ｏｂが設けられている。すなわち、非形成部Ｏａ，Ｏｂが形成されたグランド導体２２，２４，２５は、信号線路２０よりもｚ軸方向の正方向側に設けられていてもよいし、信号線路２０よりもｚ軸方向の負方向側に設けられていてもよい。
【０１０９】
（効果）
以上のように構成された高周波信号伝送線路１０ｂによれば、高周波信号伝送線路１０ａと同様に、コネクタ１００ａ，１００ｂにおいて特性インピーダンスが所定の特性インピーダンスからずれることを抑制できる。より詳細には、高周波信号伝送線路１０では、調整板１５ａ，１５ｂはそれぞれ、誘電体素体１２の裏面に設けられ、ｚ軸方向から平面視したときに、非形成部Ｏａ，Ｏｂの少なくとも一部と重なっている。これにより、調整板１５ａ，１５ｂと信号線路２０の端部との間に容量Ｃ２が形成されるようになる。更に、調整板１５ａ，１５ｂとグランド導体２２の端子導体２２ｂ，２２ｃとの間に容量Ｃ３が形成されるようになる。すなわち、信号線路２０とグランド導体２２との間には、図７に示すように、容量Ｃ２，Ｃ３とが直列に接続されている。
【０１１０】
ここで、容量Ｃ２，Ｃ３が直列に接続されると、容量Ｃ２，Ｃ３の合成容量Ｃｔは微小な値となる。よって、コネクタ１００ａ，１００ｂに微小な合成容量Ｃｔを形成して、コネクタ１００ａ，１００ｂの特性インピーダンスをわずかに下げることが可能となる。すなわち、コネクタ１００ａ，１００ｂの特性インピーダンスを微調整することできる。以上より、高周波信号伝送線路１０ｂでは、非形成部Ｏａ，Ｏｂ及び調整板１５ａ，１５ｂを設けることによって、コネクタ１００ａ，１００ｂの特性インピーダンスを所定の特性インピーダンスに精度良く一致させることが可能となる。
【０１１１】
また、高周波信号伝送線路１０ｂでは、高周波信号伝送線路１０ａと同様に、接続部１２ｂ，１２ｃが大きく変形することが抑制され、接続部１２ｂ，１２ｃの破損が抑制される。
【０１１２】
さらに、高周波信号伝送線路１０ｂでは、図５に示す電子機器２００のような電子機器に配置される際に、信号線路２０よりもバッテリーパック２０６側にベタ状のグランド導体２２が配置されることから、信号線路２０へのバッテリーパック２０６側からの電気的な干渉を抑制できる。したがって、バッテリーパック２０６などの金属部材が近接していても伝送ロスが少ない高周波信号伝送線路を得ることができる。
【０１１３】
（第１の変形例）
以下に、第１の変形例に係る高周波信号伝送線路について図面を参照しながら説明する。図１３は、第１の変形例に係る高周波信号伝送線路１０ｃの外観斜視図である。
【０１１４】
高周波信号伝送線路１０ｃの内部の構成は、高周波信号伝送線路１０，１０ａのいずれの内部の構成と同じであってもよい。高周波信号伝送線路１０ｃと高周波信号伝送線路１０，１０ａとの相違点は、調整板１５ａ，１５ｂの貼り付け方法である。より詳細には、高周波信号伝送線路１０，１０ａでは、調整板１５ａ，１５ｂは、接着剤により誘電体素体１２に貼り付けられていた。接着剤は、一般的には比較的に薄い層である。
【０１１５】
一方、高周波信号伝送線路１０ｃでは、調整板１５ａ，１５ｂは、比較的に厚い粘着シート４０ａ，４０ｂ（粘着剤）により誘電体素体１２に貼り付けられている。よって、粘着シート４０ａ，４０ｂの厚さを調整することにより、調整板１５ａ，１５ｂと信号線路２０との間の容量の大きさ、及び、調整板１５ａ，１５ｂとグランド導体２４，２５との間の容量の大きさを調整することが可能である。よって、コネクタ１００ａ，１００ｂの特性インピーダンスが所定の特性インピーダンス（５０Ω）となるように、粘着シート４０ａ，４０ｂの厚さを設計すればよい。
【０１１６】
（第２の変形例）
以下に、第２の変形例に係る高周波信号伝送線路について図面を参照しながら説明する。図１４は、第２の変形例に係る高周波信号伝送線路１０ｄの外観斜視図である。
【０１１７】
高周波信号伝送線路１０ｄの内部の構成は、高周波信号伝送線路１０，１０ａのいずれの内部の構成と同じであってもよい。高周波信号伝送線路１０ｄと高周波信号伝送線路１０，１０ａとの相違点は、調整板１５ａ，１５ｂの形状である。より詳細には、高周波信号伝送線路１０，１０ａでは、調整板１５ａ，１５ｂは、矩形状をなしていた。
【０１１８】
一方、高周波信号伝送線路１０ｄでは、調整板１５ａ，１５ｂには、孔Ｈ１，Ｈ２及び切り欠きＥ１，Ｅ２が設けられている。このように、孔Ｈ１，Ｈ２及び切り欠きＥ１，Ｅ２を設けることにより、調整板１５ａ，１５ｂと信号線路２０との間の容量の大きさ、及び、調整板１５ａ，１５ｂとグランド導体２４，２５との間の容量の大きさを調整することが可能である。よって、コネクタ１００ａ，１００ｂの特性インピーダンスが所定の特性インピーダンス（５０Ω）となるように、調整板１５ａ，１５ｂの形状を設計すればよい。
【０１１９】
（第４の実施形態）
以下に、第４の実施形態に係る高周波信号伝送線路１０ｅについて図面を参照しながら説明する。図１５及び図１６は、第４の実施形態に係る高周波信号伝送線路１０ｅの外観斜視図である。図１７は、図１５の高周波信号伝送線路１０ｅの誘電体素体１２の分解斜視図である。以下では、高周波信号伝送線路１０ｅの積層方向をｚ軸方向と定義する。また、高周波信号伝送線路１０ｅの長手方向をｘ軸方向と定義し、ｘ軸方向及びｚ軸方向に直交する方向をｙ軸方向と定義する。
【０１２０】
高周波信号伝送線路１０ｅでは、コネクタ１００ａ，１００ｂを介して回路基板と接続されるのではなく、端子導体２２ｂ，２２ｃ，４３ａ，４３ｂを介して回路基板と接続される。
【０１２１】
高周波信号伝送線路１０ｅは、例えば、携帯電話等の電子機器内において、２つの高周波回路を接続するために用いられるフラットケーブル型のフレキシブル回路基板である。高周波信号伝送線路１０ｅは、図１５ないし図１７に示すように、誘電体素体１２、調整板１５ａ，１５ｂ、信号線路２０、グランド導体２２，２４、端子導体４３ａ，４３ｂ及びビアホール導体ｂ１１，ｂ１２，Ｂ１１〜Ｂ１８を備えている。
【０１２２】
誘電体素体１２は、図１５及び図１６に示すように、ｚ軸方向から平面視したときに、ｘ軸方向に延在する可撓性を有する板状部材であり、線路部１２ａ、接続部１２ｂ，１２ｃを含んでいる。誘電体素体１２は、図１７に示すように、保護層１４、誘電体シート１８ａ〜１８ｃがｚ軸方向の正方向側から負方向側へとこの順に積層されて構成されている積層体である。以下では、誘電体素体１２のｚ軸方向の正方向側の主面を表面と称し、誘電体素体１２のｚ軸方向の負方向側の主面を裏面と称す。
【０１２３】
線路部１２ａは、図１５及び図１６に示すように、ｘ軸方向に延在している。接続部１２ｂ，１２ｃはそれぞれ、線路部１２ａのｘ軸方向の負方向側の端部及びｘ軸方向の正方向側の端部に接続されており、矩形状をなしている。接続部１２ｂ，１２ｃのｙ軸方向の幅は、線路部１２ａのｙ軸方向の幅よりも大きい。
【０１２４】
誘電体シート１８ａ〜１８ｃは、図１７に示すように、ｚ軸方向から平面視したときに、ｘ軸方向に延在しており、誘電体素体１２と同じ形状をなしている。誘電体シート１８ａ〜１８ｃは、ポリイミドや液晶ポリマ等の可撓性を有する熱可塑性樹脂により構成されているシートである。以下では、誘電体シート１８ａ〜１８ｃのｚ軸方向の正方向側の主面を表面と称し、誘電体シート１８ａ〜１８ｃのｚ軸方向の負方向側の主面を裏面と称す。
【０１２５】
誘電体シート１８ａの厚さＴ１は、図１７に示すように、誘電体シート１８ｂの厚さＴ２よりも大きい。誘電体シート１８ａ〜１８ｃの積層後において、厚さＴ１は、例えば、５０μｍ〜３００μｍである。本実施形態では、厚さＴ１は１５０μｍである。また、厚さＴ２は、例えば、１０μｍ〜１００μｍである。本実施形態では、厚さＴ２は５０μｍである。
【０１２６】
また、誘電体シート１８ａは、図１７に示すように、線路部１８ａ−ａ及び接続部１８ａ−ｂ，１８ａ−ｃにより構成されている。誘電体シート１８ｂは、図１７に示すように、線路部１８ｂ−ａ及び接続部１８ｂ−ｂ，１８ｂ−ｃにより構成されている。誘電体シート１８ｃは、線路部１８ｃ−ａ及び接続部１８ｃ−ｂ，１８ｃ−ｃにより構成されている。線路部１８ａ−ａ，１８ｂ−ａ，１８ｃ−ａは、線路部１２ａを構成している。接続部１８ａ−ｂ，１８ｂ−ｂ，１８ｃ−ｂは、接続部１２ｂを構成している。接続部１８ａ−ｃ，１８ｂ−ｃ，１８ｃ−ｃは、接続部１２ｃを構成している。
【０１２７】
信号線路２０は、図１７に示すように、高周波信号が伝送され、誘電体素体１２内に設けられている線状導体である。本実施形態では、信号線路２０は、誘電体シート１８ｂの表面上に形成されており、ｘ軸方向に延在する直線状の導体である。
【０１２８】
信号線路２０のｘ軸方向の負方向側の端部は、図１７に示すように、接続部１８ｂ−ｂの中央よりもｙ軸方向の負方向側に位置している。信号線路２０のｘ軸方向の正方向側の端部は、図１７に示すように、接続部１８ｂ−ｃの中央よりもｙ軸方向の負方向側に位置している。信号線路２０は、銀や銅を主成分とする比抵抗の小さな金属材料により作製されている。ここで、信号線路２０が誘電体シート１８ｂの表面に形成されているとは、誘電体シート１８ｂの表面にめっきにより形成された金属箔がパターニングされて信号線路２０が形成されていることや、誘電体シート１８ｂの表面に張り付けられた金属箔がパターニングされて信号線路２０が形成されていることを指す。また、信号線路２０の表面には平滑化が施されるので、信号線路２０において誘電体シート１８ｂに接している面の表面粗さは、信号線路２０において誘電体シート１８ｂに接していない面の表面粗さよりも大きくなる。
【０１２９】
グランド導体２２は、図１７に示すように、信号線路２０よりもｚ軸方向の正方向側に設けられているベタ状の導体層である。より詳細には、グランド導体２２は、誘電体シート１８ａの表面に形成され、誘電体シート１８ａを介して信号線路２０と対向している。グランド導体２２には、信号線路２０と重なる位置には開口が設けられていない。グランド導体２２は、銀や銅を主成分とする比抵抗の小さな金属材料により作製されている。
【０１３０】
ここで、グランド導体２２が誘電体シート１８ａの表面に形成されているとは、誘電体シート１８ａの表面にめっきにより形成された金属箔がパターニングされてグランド導体２２が形成されていることや、誘電体シート１８ａの表面に張り付けられた金属箔がパターニングされてグランド導体２２が形成されていることを指す。また、グランド導体２２の表面には平滑化が施されるので、グランド導体２２において誘電体シート１８ａに接している面の表面粗さは、グランド導体２２において誘電体シート１８ａに接していない面の表面粗さよりも大きくなる。
【０１３１】
また、グランド導体２２は、図１７に示すように、主要導体２２ａ及び端子導体２２ｂ，２２ｃにより構成されている。主要導体２２ａは、線路部１８ａ−ａの表面に設けられ、ｘ軸方向に沿って延在している。端子導体２２ｂは、接続部１８ａ−ｂの表面に設けられた長方形状の導体である。より詳細には、端子導体２２ｂは、接続部１８ａ−ｂの中央よりもｙ軸方向の正方向側において、ｘ軸方向に延在しており、外部電極として機能する。端子導体２２ｂは、主要導体２２ａのｘ軸方向の負方向側の端部に接続されている。
【０１３２】
端子導体２２ｃは、接続部１８ａ−ｃの表面に設けられた長方形状の導体である。より詳細には、端子導体２２ｃは、接続部１８ａ−ｃの中央よりもｙ軸方向の正方向側において、ｘ軸方向に延在しており、外部電極として機能する。端子導体２２ｃは、主要導体２２ａのｘ軸方向の正方向側の端部に接続されている。
【０１３３】
ここで、高周波信号伝送線路１０ｅの特性インピーダンスは、主に、信号線路２０とグランド導体２２との対向面積及び距離、並びに、誘電体シート１８ａ〜１８ｃの比誘電率に基づいて定まる。そこで、高周波信号伝送線路１０の特性インピーダンスを５０Ωに設定する場合には、例えば、信号線路２０とグランド導体２２によって高周波信号伝送線路１０ｅの特性インピーダンスが５０Ωよりもやや高めの５５Ωとなるように設計する。そして、信号線路２０とグランド導体２２とグランド導体２４によって高周波信号伝送線路１０ｅの特性インピーダンスが５０Ωとなるように、後述するグランド導体２４の形状を調整する。以上のように、グランド導体２２は、基準グランド導体としての役割を果たす。
【０１３４】
グランド導体２４は、図１７に示すように、信号線路２０よりもｚ軸方向の負方向側に設けられている導体層である。より詳細には、グランド導体２４は、誘電体シート１８ｃの表面に形成され、誘電体シート１８ｂを介して信号線路２０と対向している。グランド導体２４は、銀や銅を主成分とする比抵抗の小さな金属材料により作製されている。
【０１３５】
ここで、グランド導体２４が誘電体シート１８ｃの表面に形成されているとは、誘電体シート１８ｃの表面にめっきにより形成された金属箔がパターニングされてグランド導体２４が形成されていることや、誘電体シート１８ｃの表面に張り付けられた金属箔がパターニングされてグランド導体２４が形成されていることを指す。また、グランド導体２４の表面には平滑化が施されるので、グランド導体２４において誘電体シート１８ｃに接している面の表面粗さは、グランド導体２４において誘電体シート１８ｃに接していない面の表面粗さよりも大きくなる。
【０１３６】
また、グランド導体２４は、図１７に示すように、主要導体２４ａ及び端子導体２４ｂ，２４ｃにより構成されている。主要導体２４ａは、線路部１８ｃ−ａの表面に設けられ、ｘ軸方向に沿って延在している。端子導体２４ｂは、接続部１８ｃ−ｂの表面に設けられ、矩形状をなしている。端子導体２４ｂは、主要導体２４ａのｘ軸方向の負方向側の端部に接続されている。ただし、端子導体２４ｂには、矩形状の非形成部Ｏａが設けられている。非形成部Ｏａは、ｚ軸方向から平面視したときに、信号線路２０のｘ軸方向の負方向側の端部と重なっている。端子導体２４ｃは、接続部１８ｃ−ｃの表面に設けられ、矩形状をなしている。端子導体２４ｃは、主要導体２４ａのｘ軸方向の正方向側の端部に接続されている。ただし、端子導体２４ｃには、矩形状の非形成部Ｏｂが設けられている。非形成部Ｏｂは、ｚ軸方向から平面視したときに、信号線路２０のｘ軸方向の正方向側の端部と重なっている。
【０１３７】
また、主要導体２４ａには、図１７に示すように、ｘ軸方向に沿って並び、かつ、長方形状をなす複数の開口３０が設けられている。これにより、主要導体２４ａは、梯子状をなしている。また、グランド導体２４において、隣り合う開口３０に挟まれた部分をブリッジ部６０と呼ぶ。ブリッジ部６０は、ｙ軸方向に延在している。複数の開口３０及び複数のブリッジ部６０とは、ｚ軸方向から平面視したときに、信号線路２０に交互に重なっている。そして、本実施形態では、信号線路２０は、開口３０及びブリッジ部６０のｙ軸方向の中央をｘ軸方向に横切っている。
【０１３８】
グランド導体２４は、シールドとしても機能する補助グランド導体である。また、グランド導体２４は、前記の通り、高周波信号伝送線路１０ｅの特性インピーダンスが５０Ωとなるように最終的な調整を行うために設計されている。具体的には、開口３０の大きさやブリッジ部６０の線幅等を設計する。
【０１３９】
以上のように、グランド導体２２には開口が設けられず、グランド導体２４には開口３０が設けられている。よって、グランド導体２４と信号線路２０とが対向している面積は、グランド導体２２と信号線路２０とが対向している面積よりも小さい。
【０１４０】
端子導体４３ａは、接続部１８ａ−ｂの表面に設けられた長方形状の導体であり、外部電極として機能する。より詳細には、端子導体４３ａは、接続部１８ａ−ｂの中央よりもｙ軸方向の負方向側において、ｘ軸方向に延在している。また、端子導体４３ａのｘ軸方向の正方向側の端部は、ｚ軸方向から平面視したときに、信号線路２０のｘ軸方向の負方向側の端部と重なっている。
【０１４１】
端子導体４３ｂは、接続部１８ａ−ｃの表面に設けられた長方形状の導体であり、外部電極として機能する。より詳細には、端子導体４３ｂは、接続部１８ａ−ｃの中央よりもｙ軸方向の負方向側において、ｘ軸方向に延在している。また、端子導体４３ｂのｘ軸方向の負方向側の端部は、ｚ軸方向から平面視したときに、信号線路２０のｘ軸方向の正方向側の端部と重なっている。
【０１４２】
信号線路２０、グランド導体２２，２４及び端子導体４３ａ，４３ｂは、略等しい厚さを有している。信号線路２０、グランド導体２２，２４及び端子導体４３ａ，４３ｂの厚さは、例えば、１０μｍ〜２０μｍである。
【０１４３】
以上のように、信号線路２０は、グランド導体２２及びグランド導体２４によってｚ軸方向の両側から挟まれている。すなわち、信号線路２０、グランド導体２２及びグランド導体２４は、トリプレート型のストリップライン構造をなしている。また、信号線路２０とグランド導体２２との間隔（ｚ軸方向における距離）は、図１７に示すように誘電体シート１８ａの厚さＴ１と略等しく、例えば、５０μｍ〜３００μｍである。本実施形態では、信号線路２０とグランド導体２２との間隔は、１５０μｍである。また、信号線路２０とグランド導体２４との間隔（ｚ軸方向における距離）は、図１７に示すように誘電体シート１８ｂの厚さＴ２と略等しく、例えば、１０μｍ〜１００μｍである。本実施形態では、信号線路２０とグランド導体２４との間隔は、５０μｍである。よって、信号線路２０とグランド導体２４とのｚ軸方向の距離は、信号線路２０とグランド導体２２とのｚ軸方向の距離よりも小さい。
【０１４４】
複数のビアホール導体Ｂ１１は、図１７に示すように、信号線路２０よりもｙ軸方向の正方向側において誘電体シート１８ａをｚ軸方向に貫通しており、ｘ軸方向に一列に等間隔に並んでいる。複数のビアホール導体Ｂ１２は、図１７に示すように、信号線路２０よりもｙ軸方向の正方向側において誘電体シート１８ｂをｚ軸方向に貫通しており、ｘ軸方向に一列に等間隔に並んでいる。ビアホール導体Ｂ１１，Ｂ１２は、互いに接続されることにより１本のビアホール導体を構成している。また、ビアホール導体Ｂ１１のｚ軸方向の正方向側の端部は、グランド導体２２に接続されている。ビアホール導体Ｂ１２のｚ軸方向の負方向側の端部は、グランド導体２４に接続されており、より詳細には、ブリッジ部６０よりもｙ軸方向の正方向側においてグランド導体２４に接続されている。ビアホール導体Ｂ１１，Ｂ１２は、誘電体シート１８ａ，１８ｂに形成されたビアホールに対して銀、スズ、または銅等を主成分とする導電性ペーストが充填され、固化されることによって形成される。
【０１４５】
複数のビアホール導体Ｂ１３は、図１７に示すように、信号線路２０よりもｙ軸方向の負方向側において誘電体シート１８ａをｚ軸方向に貫通しており、ｘ軸方向に一列に等間隔に並んでいる。複数のビアホール導体Ｂ１４は、図１７に示すように、信号線路２０よりもｙ軸方向の負方向側において誘電体シート１８ｂをｚ軸方向に貫通しており、ｘ軸方向に一列に等間隔に並んでいる。ビアホール導体Ｂ１３，Ｂ１４は、互いに接続されることにより１本のビアホール導体を構成している。また、ビアホール導体Ｂ１３のｚ軸方向の正方向側の端部は、グランド導体２２に接続されている。ビアホール導体Ｂ１４のｚ軸方向の負方向側の端部は、グランド導体２４に接続されており、より詳細には、ブリッジ部６０よりもｙ軸方向の負方向側においてグランド導体２４に接続されている。ビアホール導体Ｂ１３，Ｂ１４は、誘電体シート１８ａ，１８ｂに形成されたビアホールに対して銀、スズ、または銅等を主成分とする導電性ペーストが充填され、固化されることによって形成される。
【０１４６】
ビアホール導体Ｂ１５は、図１７に示すように、誘電体シート１８ａの接続部１８ａ−ｂをｚ軸方向に貫通している。ビアホール導体Ｂ１６は、図１７に示すように、誘電体シート１８ｂの接続部１８ｂ−ｂをｚ軸方向に貫通している。ビアホール導体Ｂ１５，Ｂ１６は、互いに接続されることにより１本のビアホール導体を構成している。また、ビアホール導体Ｂ１５のｚ軸方向の正方向側の端部は、グランド導体２２の端子導体２２ｂに接続されている。ビアホール導体Ｂ１６のｚ軸方向の負方向側の端部は、グランド導体２４の端子導体２４ｂに接続されている。ビアホール導体Ｂ１５，Ｂ１６は、誘電体シート１８ａ，１８ｂに形成されたビアホールに対して銀、スズ、または銅等を主成分とする導電性ペーストが充填され、固化されることによって形成される。
【０１４７】
ビアホール導体Ｂ１７は、図１７に示すように、誘電体シート１８ａの接続部１８ａ−ｃをｚ軸方向に貫通している。ビアホール導体Ｂ１８は、図１７に示すように、誘電体シート１８ｂの接続部１８ｂ−ｃをｚ軸方向に貫通している。ビアホール導体Ｂ１７，Ｂ１８は、互いに接続されることにより１本のビアホール導体を構成している。また、ビアホール導体Ｂ１７のｚ軸方向の正方向側の端部は、グランド導体２２の端子導体２２ｃに接続されている。ビアホール導体Ｂ１８のｚ軸方向の負方向側の端部は、グランド導体２４の端子導体２４ｃに接続されている。ビアホール導体Ｂ１７，Ｂ１８は、誘電体シート１８ａ，１８ｂに形成されたビアホールに対して銀、スズ、または銅等を主成分とする導電性ペーストが充填され、固化されることによって形成される。
【０１４８】
ビアホール導体ｂ１１は、図１７に示すように、誘電体シート１８ａの接続部１８ａ−ｂをｚ軸方向に貫通しており、端子導体４３ａと信号線路２０のｘ軸方向の負方向側の端部とを接続している。ビアホール導体ｂ１２は、図１７に示すように、誘電体シート１８ａの接続部１８ａ−ｃをｚ軸方向に貫通しており、端子導体４３ｂと信号線路２０のｘ軸方向の正方向側の端部とを接続している。これにより、信号線路２０は、端子導体４３ａ，４３ｂ間に接続されている。ビアホール導体ｂ１１，ｂ１２は、誘電体シート１８ａ，１８ｂに形成されたビアホールに対して銀、スズ、または銅等を主成分とする導電性ペーストが充填され、固化されることによって形成される。
【０１４９】
保護層１４は、誘電体シート１８ａの表面上に設けられている絶縁膜であり、誘電体シート１８ａの表面の略全面を覆っている。これにより、保護層１４は、グランド導体２２を覆っている。保護層１４は、例えば、レジスト材等の可撓性樹脂からなる。
【０１５０】
また、保護層１４は、図１７に示すように、線路部１４ａ及び接続部１４ｂ，１４ｃにより構成されている。線路部１４ａは、線路部１８ａ−ａの表面の全面を覆うことにより、主要導体２２ａを覆っている。
【０１５１】
接続部１４ｂは、線路部１４ａのｘ軸方向の負方向側の端部に接続されており、接続部１８ａ−ｂの表面の一部を覆っている。ただし、接続部１４ｂは、図１５に示すように、端子導体２２ｂ，４３ａを覆っていない。
【０１５２】
接続部１４ｃは、線路部１４ａのｘ軸方向の正方向側の端部に接続されており、接続部１８ａ−ｃの表面の一部を覆っている。ただし、接続部１４ｃは、図１５に示すように、端子導体２２ｃ，４３ｂを覆っていない。
【０１５３】
調整板１５ａは、誘電体素体１２の接続部１２ｂの裏面（すなわち、誘電体シート１８ｃの接続部１８ｃ−ｂの裏面）に設けられており、ｚ軸方向から平面視したときに、非形成部Ｏａの少なくとも一部と重なっている矩形状の金属板である。更に、調整板１５ａは、信号線路２０及びグランド導体２２，２４のいずれにも電気的に接続されておらず、浮遊電位に保たれる。より詳細には、調整板１５ａは、ｚ軸方向から平面視したときに、非形成部Ｏａの全体と重なっていることにより、信号線路２０のｘ軸方向の負方向側の端部と重なっている。これにより、調整板１５ａと信号線路２０のｘ軸方向の負方向側の端部との間に容量が形成されている。更に、調整板１５ａは、非形成部Ｏａからはみ出すことによりグランド導体２４の端子導体２４ｂとｚ軸方向からの平面視で重なっている。これにより、調整板１５ａとグランド導体２４の端子導体２４ｂとの間に容量が形成されている。
【０１５４】
調整板１５ｂは、誘電体素体１２の接続部１２ｃの裏面（すなわち、誘電体シート１８ｃの接続部１８ｃ−ｃの裏面）に設けられており、ｚ軸方向から平面視したときに、非形成部Ｏｂの少なくとも一部と重なっている矩形状の金属板である。更に、調整板１５ｂは、信号線路２０及びグランド導体２２，２４のいずれにも電気的に接続されておらず、浮遊電位に保たれる。より詳細には、調整板１５ｂは、ｚ軸方向から平面視したときに、非形成部Ｏｂの全体と重なっていることにより、信号線路２０のｘ軸方向の正方向側の端部と重なっている。これにより、調整板１５ｂと信号線路２０のｘ軸方向の正方向側の端部との間に容量が形成されている。更に、調整板１５ｂは、非形成部Ｏｂからはみ出すことによりグランド導体２４の端子導体２４ｃとｚ軸方向からの平面視で重なっている。これにより、調整板１５ｂとグランド導体２４の端子導体２４ｃとの間に容量が形成されている。調整板１５ａ，１５ｂは、例えば、銅板やＳＵＳ板により構成される。
【０１５５】
次に、高周波信号伝送線路１０ｅと回路基板との接続構造について図面を参照しながら説明する。図１８は、高周波信号伝送線路１０ｅと回路基板２０２ｂとの接続部分の斜視図である。図１９は、高周波信号伝送線路１０ｅと回路基板２０２ｂとの接続部分の断面構造図である。なお、高周波信号伝送線路１０ｅと回路基板２０２ａとの接続構造と、高周波信号伝送線路１０ｅと回路基板２０２ｂとの接続構造とは同じである。よって、以下では、高周波信号伝送線路１０ｅと回路基板２０２ｂとの接続構造について説明する。
【０１５６】
回路基板２０２ｂは、図１８に示すように、基板本体２０７、外部端子２０８ｂ，２０８ｃ及びレジスト２０９を備えている。基板本体２０７は、内部に給電回路等を内蔵している。外部端子２０８ｂ，２０８ｃは、基板本体２０７のｚ軸方向の負方向側の主面上に設けられており、ｙ軸方向の正方向側から負方向側へとこの順に並んでいる。外部端子２０８ｂ，２０８ｃは、長方形状をなしており、例えば、銅等により作製されている。レジスト２０９は、ｚ軸方向から平面視したときに、外部端子２０８ｂ，２０８ｃの周囲を囲んでいる。これによりレジスト２０９は、高周波信号伝送線路１０ｅの位置決め用としても機能する。外部端子２０８ｂ，２０８ｃはそれぞれ、図１９に示すように、はんだにより、端子導体２２ｃ，４３ｂと接続される。
【０１５７】
以上のように構成された高周波信号伝送線路１０ｅによれば、信号線路２０の両端の特性インピーダンスが所定の特性インピーダンスからずれることを抑制できる。図２０は、図１７のＡ−Ａにおける高周波信号伝送線路１０ｅの断面構造図である。
【０１５８】
高周波信号伝送線路１０ｅでは、調整板１５ａ，１５ｂはそれぞれ、誘電体素体１２の裏面に設けられ、ｚ軸方向から平面視したときに、非形成部Ｏａ，Ｏｂの少なくとも一部と重なっている。これにより、図２０に示すように、調整板１５ａ，１５ｂと信号線路２０の端部との間に容量Ｃ２が形成されるようになる。更に、調整板１５ａ，１５ｂとグランド導体２４の端子導体２４ｂ，２４ｃとの間に容量Ｃ３が形成されるようになる。すなわち、信号線路２０とグランド導体２４との間には、図２０に示すように、容量Ｃ２，Ｃ３とが直列に接続されている。
【０１５９】
ここで、容量Ｃ２，Ｃ３が直列に接続されると、容量Ｃ２，Ｃ３の合成容量Ｃｔは微小な値となる。よって、信号線路２０の端部に微小な合成容量Ｃｔを形成して、信号線路２０の端部の特性インピーダンスをわずかに下げることが可能となる。すなわち、信号線路２０の端部の特性インピーダンスを微調整することできる。以上より、高周波信号伝送線路１０ｅでは、非形成部Ｏａ，Ｏｂ及び調整板１５ａ，１５ｂを設けることによって、信号線路２０の端部の特性インピーダンスを所定の特性インピーダンスに精度良く一致させることが可能となる。
【０１６０】
なお、端子導体２２ｃ，４３ｂは、外部端子２０８ｂ，２０８ｃと溶接により接続されてもよい。
【０１６１】
また、端子導体２２ｂ，２２ｃ，４３ａ，４３ｂ上にステンレス製の金属板が設けられていてもよい。これにより、接続部１２ｂ，１２ｃの変形が抑制されるようになる。また、ステンレス製の金属板の材質は、端子導体２２ｂ，２２ｃ，４３ａ，４３ｂの材質と異なるので、金属板の特性インピーダンスと端子導体２２ｂ，２２ｃ，４３ａ，４３ｂの特性インピーダンスとは異なる。したがって、金属板の特性インピーダンスが所定の特性インピーダンスからずれやすい。そこで、高周波信号伝送線路１０ｅに金属板が適用された場合には、調整板１５ａ，１５ｂによって、金属板の特性インピーダンスを調整すればよい。
【０１６２】
（その他の実施形態）
本発明に係る高周波信号伝送線路は、前記実施形態に係る高周波信号伝送線路１０，１０ａ〜１０ｅに限らず、その要旨の範囲内において変更可能である。
【０１６３】
なお、調整板１５ａ，１５ｂは、例えば、レジスト材によって誘電体素体１２に貼り付けられていてもよい。
【０１６４】
また、調整板１５ａ，１５ｂは、金属板であるとしたが、例えば、導体層が形成されたガラスエポキシ樹脂等の絶縁性基板であってもよい。この場合には、導体層をエッチングにより加工できるので、導体層を精度よく加工できる。したがって、コネクタ１００ａ，１００ｂの特性インピーダンスを精度良く所定の特性インピーダンスに整合させることができる。
【０１６５】
なお、高周波信号伝送線路１０ａにおいて、グランド導体２４には、開口３０が存在しなくてもよい。また、グランド導体２４ではなく、グランド導体２２に複数の開口３０を設けてもよい。更に、グランド導体２２，２４のいずれにも複数の開口３０を設けてもよい。
【０１６６】
なお、高周波信号伝送線路１０，１０ａ〜１０ｅに示した構成を組み合わせてもよい。
【０１６７】
また、信号線路２０と調整板１５ａ，１５ｂは必ずしも平面視で重なっていなくてもよい。この場合も非形成部Ｏａ，Ｏｂを介して信号線路２０と調整板１５ａ，１５ｂ間には容量Ｃ２が発生する。同様に、グランド導体２２，２４，２５と調整板１５ａ，１５ｂは必ずしも平面視で重なっていなくてもよい。
【０１６８】
なお、コネクタ１００ａ，１００ｂはそれぞれ、誘電体素体１２の異なる主面に設けられていてもよい。
【０１６９】
なお、高周波信号伝送線路１０，１０ａ〜１０ｅは、アンテナフロントエンドモジュールなどＲＦ回路基板における高周波信号伝送線路として用いられてもよい。
【産業上の利用可能性】
【０１７０】
以上のように、本発明は、高周波信号伝送線路及び電子機器に有用であり、特に、コネクタにおいて特性インピーダンスが所定の特性インピーダンスからずれることを抑制できる点において優れている。
【符号の説明】
【０１７１】
Ａ１，Ａ２  領域
１０，１０ａ〜１０ｅ  高周波信号伝送線路
１２  誘電体素体
１５ａ，１５ｂ  調整板
１８ａ〜１８ｄ  誘電体シート
２０  信号線路
２２，２４，２５  グランド導体
２２ｂ，２２ｃ，４３ａ，４３ｂ  端子導体
３０  開口
４０ａ，４０ｂ  粘着シート
６０  ブリッジ部
１００ａ，１００ｂ  コネクタ
【図１】
0005488774.tif 000002
【図２】
0005488774.tif 000003
【図３】
0005488774.tif 000004
【図４】
0005488774.tif 000005
【図５】
0005488774.tif 000006
【図６】
0005488774.tif 000007
【図７】
0005488774.tif 000008
【図８】
0005488774.tif 000009
【図９】
0005488774.tif 000010
【図１０】
0005488774.tif 000011
【図１１】
0005488774.tif 000012
【図１２】
0005488774.tif 000013
【図１３】
0005488774.tif 000014
【図１４】
0005488774.tif 000015
【図１５】
0005488774.tif 000016
【図１６】
0005488774.tif 000017
【図１７】
0005488774.tif 000018
【図１８】
0005488774.tif 000019
【図１９】
0005488774.tif 000020
【図２０】
0005488774.tif 000021